(57)【要約】【課題】加熱室外へ滴下した水が装置外への水漏れしないようにし製品品位の向上を図ること。【解決手段】被加熱物を収納する加熱室１において、加熱室１を構成する加熱室底面２のフランジと加熱室後面壁４の一部を機械的結合し、機械的結合部を覆うように裏板５を配置し、加熱室上面６のフランジと加熱室後面壁４を裏板５と共に機械的結合することで加熱室１からしみでる水を装置外へ漏らすことなく製品品位の向上を図ることができる。【選択図】図１
2006153423.tif 000002
【特許請求の範囲】
【請求項１】
被加熱物を収納する加熱室において、前記加熱室を構成する加熱室底面のフランジと加熱室後面壁の一部を機械的結合し、前記機械的結合部を覆うように裏板を配置し、前記加熱室上面のフランジと加熱室後面壁を裏板と共に機械的結合することを特徴とする高周波加熱装置。
【請求項２】
被加熱物を収納する加熱室において、前記加熱室を構成する加熱室底面のフランジと加熱室後面壁の一部を機械的結合し、前記機械的結合部を覆うように凸状のネジ孔を有する裏板を配置し、前記機械的結合部に対向する位置に凸状のネジ孔を配置することを特徴とする高周波加熱装置。
【請求項３】
蒸気により被加熱物を加熱する蒸気発生部を有することを特徴とする請求項１または２記載の高周波加熱装置。
【請求項４】
蒸気発生部は、加熱により蒸気を発生する水溜凹所を有した蒸発皿を加熱室内に備えていることを特徴とする請求項３記載の高周波加熱装置。
【発明の詳細な説明】
【技術分野】
【０００１】
本発明は高周波加熱装置の加熱室の構成に関するものである。
【背景技術】
【０００２】
近年の高周波加熱装置においては、高周波加熱の利便性、電熱加熱の調理範囲の多さに加えて、蒸気加熱ができることを特徴とする製品が多く発売されてきている。蒸気加熱の方法として、加熱室内に蒸気発生部を設ける構成や被加熱物とは別の容器に水を入れて高周波加熱を行うことで加熱室内に蒸気を満たす構成のものがある。従来の高周波加熱装置では、被加熱物が加熱されて発生する蒸気だけであったので加熱室外への水漏れは問題にならなかったが、近年の蒸気を積極的に利用する高周波加熱装置においては、加熱室内で発生させた蒸気の量が多いので、蒸気が加熱室壁面で結露し、成長して底面部に落ち、底面部に落ちた水は、加熱室を構成する板金の接合部へ浸入し、加熱室外へ水が滴下するという課題があった。
【０００３】
この水の滴下は製品本体後部に発生するため、使用者は気づきにくいので、製品本体が木製の台に置かれていた場合、滴下した水による台の腐敗やカビ等の雑菌の繁殖による異臭、またテーブルクロスを貼ってる場合にもクロスの浮きの原因にもなり、製品の品位としては好ましくなかった。
【０００４】
この対策として、加熱室外へ滴下した水によって製品の誤動作の防止および感電事故防止の目的で蒸気発生部の下部に水受け用仕切り部を備えたものがある（例えば、特許文献１参照）。
【０００５】
一方、加熱室を構成する板金部品には電熱加熱時の熱反射特性を高める目的や、加熱室壁面の清掃性を良くするために塗装鋼板を用いることが一般的である。塗装鋼板は塗膜に導通性がない場合には電気的な溶接ができないため、その接合方法として機械的結合を利用している（例えば、特許文献２参照）。
【０００６】
この発明によれば、加熱室を構成する板金部品の２枚またはそれ以上の板を重合し、切断方向を規制することにより、一緒に切断絞り出し加工をして圧着カシメにて接合強度を確保するとともに、接合部材料間を電気的に導通させ、電波シール性能を確保することができる。
【０００７】
図８（ａ）は従来の高周波加熱装置の機械的結合部の構造を示す横断面図、図８（ｂ）に図８（ａ）の下部Ａのカシメ結合部の拡大図を示す。加熱室１の下部Ａには加熱室底面２と蒸発皿３と加熱室後面壁４と裏板５の４枚が機械的結合によりカシメ結合されている。上部Ｂのカシメ結合部は加熱室上面６と加熱室後面壁４と裏板５の３枚が機械的結合によりカシメ結合されている。また、蒸発皿３の前部には、シリコンゴム製のシール材７で外周部を覆われた被加熱物を載置するためのセラミック製の皿受け台８が加熱室底面部の窪み部に圧入することにより取り付けられている。蒸発皿３の下には、蒸発皿３に溜められた水を加熱して蒸気にするための蒸発皿加熱ヒーター９が備えられている。加熱室１に結合した裏板５の下には底板１０があり、底板１０には足１１が取り付けられており、床面１２の上に置かれる構成となっている。
【特許文献１】特開２００４−１１９７４号公報
【特許文献２】特開平１−１０７０１７号公報
【発明の開示】
【発明が解決しようとする課題】
【０００８】
しかしながら、前記従来の機械的結合部には、裏板５を切断しながら圧着カシメにより加熱室底面２と蒸発皿３と加熱室後面壁４の結合を行うので裏板５の材料の部分的な切断部が必然的に発生する。一方で、蒸気加熱を行うような場合には、加熱室１内の加熱室上面６や加熱室後面壁４に水分が結露し成長して皿受け台８へと流れ、皿受け台８上にたまった水分がシール材７の隙間から加熱室底面２上へと流れ、最終的には加熱室底面２と蒸気皿３項面のフランジとの接合部Ｃに浸入する。また、蒸発皿３に溜める水が何らかの異常で溢れるような場合や、加熱室後面壁４に結露して滴下する水は蒸発皿３と加熱室後面壁４のフランジの接合部Ｄに浸入する。これらのフランジ面に浸入した水分は、接合部に設けた数箇所の機械的結合部の板金切断部Ｅから水が外にしみ出し、板金外側を伝って製品本体を置く床面１２に水が滴下するという問題があった。
【０００９】
本発明は、前記従来の課題を解決するもので、加熱室外への水漏れに対する保護を行うことにより、製品の品位の低下を防いだ高周波加熱装置を提供することを目的とするものである。
【課題を解決するための手段】
【００１０】
前記従来の課題を解決するために、本発明の高周波加熱装置は、被加熱物を収納する加熱室において、前記加熱室を構成する加熱室底面のフランジと加熱室後面壁の一部を機械的結合し、前記機械的結合部を覆うように裏板を配置し、前記加熱室上面のフランジと加熱室後面壁を裏板と共に機械的結合することを特徴とするもので、これによって機械的結合部からしみ出た水は裏板に覆われているので装置本体外への水の滴下を防ぐことができる。
【発明の効果】
【００１１】
本発明の高周波加熱装置によれば、加熱室内の水分が加熱室後面壁と加熱室底面のフランジの接合部に浸入し、接合部間に設けられた機械的結合部の板金の切断部から水が外にしみでても、その切断部を覆うように裏板を設けてあるので、機械的結合部の板金の切断部よりしみ出た水は裏板内面を伝わり底板上に溜まるので、製品を設置する床面まで水が滴下することなく、製品品位を損なわない。また、裏板の上側は加熱室上面と加熱室後面壁と同時に機械的結合させるので、従来の加熱室組立設備を利用することで組立時間は大差なく仕上げることが可能である。
【発明を実施するための最良の形態】
【００１２】
第１の発明は、被加熱物を収納する加熱室において、前記加熱室を構成する加熱室底面のフランジと加熱室後面壁の一部を機械的結合し、前記機械的結合部を覆うように裏板を配置し、前記加熱室上面のフランジと加熱室後面壁を裏板と共に機械的結合することにより、機械的結合部からしみ出た水は裏板に覆われているので装置本体外への水の滴下を防ぐことができる。
【００１３】
第２の発明は、被加熱物を収納する加熱室において、前記加熱室を構成する加熱室底面のフランジと加熱室後面壁の一部を機械的結合し、前記機械的結合部を覆うように凸状のネジ孔を有する裏板を配置し、前記機械的結合部に対向する位置に凸状のネジ孔を配置することにより、機械的結合部からしみ出た水はネジ孔の凸状部に溜まり、装置本体外への水の滴下を防ぐことができる。
【００１４】
第３の発明は、特に、第１または２の発明の高周波加熱装置において、蒸気により被加熱物を加熱する蒸気発生部を有したのもで、通常の高周波加熱装置に比べて、結露等が発生しやすい場合でも、装置本体外への水の滴下を防ぐことができる。
【００１５】
第４の発明は、特に、第３の発明の蒸気発生部が、加熱により蒸気を発生する水溜凹所を有した蒸発皿を前記加熱室内に備えているもので、加熱室内の蒸発皿を備えることにより加熱室の構成が複雑になって隙間が増えても、装置本体外への水の滴下を防ぐことができる。
【００１６】
以下、本発明の実施の形態について、図面を参照しながら説明する。なお、この実施の形態によって本発明が限定されるものではない。
【００１７】
（実施の形態１）
図２は、本発明の一実施例における高周波加熱装置の開閉扉を開けた状態を示す正面図、図３は正面方向から見た高周波加熱装置の断面図、図４は、この装置に用いられる蒸気発生部の蒸発皿を前後から見た斜視図、図６（ａ）は加熱室１の構成を示す斜視図、図６（ｂ）は、同加熱室の構成を示す分解斜視図、図７は、同加熱室内の蒸気発生部の結合状態を示す部分斜視図、図１は蒸発皿と蒸発皿過熱ヒーターおよびこの装置の後面の構造を示す横断面図である。
【００１８】
高周波加熱装置本体２０には前面が開口した加熱室１が配設されている。本体の前面には前記加熱室１の前面を防ぐ扉２１が開閉可能に設けられており、さらには使用者が調理メニューの選択や調理開始の指示などを行う各種操作キー２２ａや必要な表示を行う表示部２２ｂを有する操作パネル２２が設けられている。加熱室１内には蒸気を発生する蒸発皿３と蒸発皿３に水を供給するノズル２３が備え付けてある。高周波加熱装置本体２０内には、マイクロ波を発振するためのマグネトロン２４を備えており、導波管２５を介して、本体底面に備えた給電口２６から加熱室１内にマイクロ波を供給するようになっている。
【００１９】
図４は蒸気発生部の一部分である給水した水を加熱し蒸気を発生する水溜凹所を有した蒸発皿３の斜視図である。図４に示すように、蒸発皿は鋼板を成型加工して形成されている。蒸発皿の外周部には加熱室を構成する加熱室側面壁（図示せず）、加熱室底面２、加熱室後面壁４の結合部とカシメ結合するためのフランジ状の結合部ａ２７、結合部ｂ２８、結合部ｃ２９が設けられている。蒸発皿３には、鋼板を成型加工する制約上、加熱室後壁４と接触する両端部には隙間３０がある。
【００２０】
図１に示すように、蒸気発生部の一部分である蒸発皿は、前述した結合部ｂ２８により加熱室底面２と、結合部ｃ２９により加熱室後面壁４と結合されている。結合はカシメで行われるため結合面の水密性は完全ではない。蒸発皿３の前部には、シリコンゴム製のシール材７で外周部を覆われた被加熱物を載置するためのセラミック製の皿受け台８が加熱室底面２の窪み部に圧入することにより取り付けられている。下部、蒸発皿３の下には、蒸発皿３に溜められた水を加熱して蒸気にするための蒸発皿加熱ヒーター９が備えられている。加熱室１に結合した裏板５の下には底板１０があり、底板１０には足１１が取り付けられており、床面１２の上に置かれる。
【００２１】
図５は、装置本体のケース（キャビネット）、扉２１、底板１０等を除いた状態にして蒸発皿３への給水構成を示す左側面図である。図５において、加熱室１を構成する加熱室後面壁４と加熱室側面壁３１、そして扉２１と対向する扉板３２の内側には、加熱室側面壁３１からの遮熱・断熱をするタンクケース３３が設けられている。そのタンクケース３３の内側には水を貯えるタンク３４があり、タンク３４内の水はポンプ３５によりチューブ３６を通じて給水され、ノズル２３を経て加熱室１内に導かれて蒸発皿３に到達する。
【００２２】
以上のように構成された高周波加熱装置の蒸気加熱とその発生蒸気が結露することによる加熱室１外への水の流れについて説明する。
【００２３】
まず、被加熱物を加熱室１内へ収納し、操作部２２ａから蒸気加熱を設定すると、制御基盤（図示せず）の制御により、タンク３４に貯水された水がポンプ３５によってチューブ３６、ノズル２３を経て加熱室１内の蒸発皿３に給水される。次に蒸発皿加熱ヒーター９を動作し、蒸発皿３の水溜凹所を集中加熱し蒸気を発生させる。設定した加熱パターンに応じて高周波加熱や電熱加熱を組み合わせることにより、被加熱物を最適な状態に加熱することができる。加熱室１内の温度等に応じて決まる過飽和蒸気は、加熱室１内の上面６や後面４、加熱室側面壁３１の内側に結露・成長し、壁面を滴下する。滴下した水は、加熱室１の底面に設けられたシリコンゴム製のシール材７により皿受け台８上に溜まるため、通常は加熱室１外に滴下することはないが、シール材７の劣化等により隙間が発生すると皿受け台８上に溜まった水は加熱室底面２上へと流れ出し、最終的には加熱室底面２と蒸気皿３項面のフランジとの接合部Ｈに浸入することになる。
【００２４】
また、加熱室後面壁４を滴下した水は蒸発皿３の結合部ｃ２９と加熱室後面壁４の合わせ部Ｇに進入する。蒸発皿３の奥側両端部は鋼板加工の制約から図７に示すように隙間３０があり、この部分に滴下すると合わせ部Ｇに侵入する水の量は増える。
【００２５】
また、ポンプ３５等の制御が誤動作して過給水されて蒸発皿３から水が溢れるような場合にも合わせ部Ｇへの水の浸入量は増える。
【００２６】
本実施の形態においては、合わせ部Ｇに浸入した水の一部は機械的結合部の板金切断部Ｉからしみ出るように加熱室後面壁４と裏板５の間に現れるものの、従来のように装置本体の外に出ることはない。
【００２７】
即ち、加熱室底面２と蒸発皿３と加熱室後面壁４を先に機械的結合させた後に裏板５を設置し、加熱室後面壁４と加熱室上面６と裏板５を機械的結合させる構成としているので、加熱室後面壁４に結露・成長して滴下した水は蒸発皿３との合わせ面に浸入するが裏板５の加熱室底面２側には機械的結合による板金の切断面が存在しないため、裏板５の外側に水がしみだすことはなく、内側を伝って底板１０上に溜まるので、製品を設置する床面１２に水溜りができることはない。
【００２８】
従って、製品を置いているテーブルや専用置き台の上に水溜りが発生することによる不具合を防止できる。
【００２９】
また、加熱室後面の機械的結合の枚数は、下側が加熱室底面２と蒸発皿３と加熱室後面壁４の３枚、上側が加熱室上面６と加熱室後面壁４と裏板５の３枚となり、機械的結合するためのカシメツールの条件出しが同じ設定にできるため、生産の効率化、安定したものづくりが可能となる。
【００３０】
（実施の形態２）
次に本発明の第２の実施の形態について図９を参照して説明する。なお、実施の形態１と同一または同等部分については、説明を省略あるいは簡略化する。
【００３１】
加熱室を構成する加熱室底面２のフランジと加熱室後面壁４の一部を機械的結合し、機械的結合部を覆うように凸状のネジ孔１３を有する裏板５を配置し、機械的結合部に対向する位置に凸状のネジ孔１３を配置する構成としたものである。
【００３２】
本実施の形態においては、合わせ部Ｇに浸入した水の一部は機械的結合部の板金切断部Ｉからしみ出るように裏板５の凸状のネジ孔１３と加熱室後面壁４の間に現れるものの、従来のように装置本体の外に出ることはない。
【００３３】
即ち、加熱室底面２と蒸発皿３と加熱室後面壁４を先に機械的結合させた後、機械的結合部に対向する位置に凸状のネジ孔１３を配置するように裏板５をネジ止めする構成としたので、加熱室後面壁４に結露・成長して滴下した水は蒸発皿３との合わせ面に浸入するが、裏板５のネジ孔１３の凸部は水が溜まるように設計しているため、裏板５の外側に水がしみだすことはなく、内側を伝って底板１０上に溜まるので、製品を設置する床面１２に水溜りができることはない。
【産業上の利用可能性】
【００３４】
以上のように、本発明にかかる高周波加熱装置によれば、正常動作時に起こる加熱室内の飽和した水蒸気が加熱室後面部に結露成長し滴下し、加熱室後面壁と蒸発皿の接合部から浸入した水が機械的結合部の板金の切断面からしみでても、結合部を覆うように裏板を設置することにより、装置本体外に水がこぼれるという製品の品位の低下を防ぐことができる。
【図面の簡単な説明】
【００３５】
【図１】（ａ）本発明の実施の形態１における高周波加熱装置の後部の構造を示す横断面図（ｂ）本発明の実施の形態１における機械的結合部の拡大図
【図２】同高周波加熱装置本体の構成図
【図３】同高周波加熱装置の正面から見た断面図
【図４】同高周波加熱装置における蒸気発生部の蒸発皿を前後から見た斜視図
【図５】本発明の実施の形態１における蒸気発生部の蒸発皿への給水構成を示す左側面図
【図６】（ａ）同加熱室の構成を示す斜視図（ｂ）同加熱室の構成を示す後面分解斜視図
【図７】同加熱室内の蒸気発生部の結合状態を示す部分斜視図
【図８】（ａ）従来の高周波加熱装置の後部の構造を示す横断面図（ｂ）機械的結合部の拡大図
【図９】本発明の実施の形態２における機械的結合部の拡大図
【符号の説明】
【００３６】
１  加熱室
２  加熱室底面
３  蒸発皿（蒸気発生部）
４  加熱室後面壁
５  裏板
６  加熱室上面
【図１】
2006153423.tif 000003
【図２】
2006153423.tif 000004
【図３】
2006153423.tif 000005
【図４】
2006153423.tif 000006
【図５】
2006153423.tif 000007
【図６】
2006153423.tif 000008
【図７】
2006153423.tif 000009
【図８】
2006153423.tif 000010
【図９】
2006153423.tif 000011